(57)【要約】      （修正有）【課題】湯を注ぐだけで簡単に、安全に食することができて常温で長期保存（５〜６年）が可能であるとともに、備蓄する際に容器が破損せず、食後資材廃棄が簡単にできるアルミパウチで包装したカップ入り即席麺を提供する。【解決手段】アルミパウチ６で包装してなると共にアルミパウチ６内部を窒素ガス等の不活性ガスで置換して密封してあり、アルミパウチ６の形態が、三方袋、又は背貼袋である。【選択図】図１
0003212091.tif 000002
【実用新案登録請求の範囲】
【請求項１】
アルミパウチ６で包装してなると共にアルミパウチ６内部を窒素ガス等の不活性ガスで置換して密封してなることを特徴とするアルミパウチ６で包装したカップ入り即席麺１００。
【請求項２】
前記アルミパウチ６の形態が、三方袋、又は、背貼袋であることを特徴とする請求項１に記載されたアルミパウチ６で包装したカップ入り即席麺１００。
【請求項３】
前記アルミパウチ６に、酸素透過性をなくし遮光性を付与し気体透過性をなくし、外部よりの臭い・香り・水蒸気・酸素を内部に侵入することを防止することを特徴とする請求項１〜２の何れかに記載されたアルミパウチ６で包装したカップ入り即席麺１００。
【請求項４】
前記アルミパウチ６が、アルミ箔をサンドしているものであることを特徴とする請求項１〜３の何れかに記載されたパウチで包装したカップ入り即席麺１００。
【請求項５】
紙製等のカップ状容器１内に、即席麺２、予め小袋に包装された即席麺の具材３、及び、予め小袋に包装された調味料４を収納したカップ入り即席麺１００をアルミパウチ６で包装したことを特徴とする請求項１〜４の何れかに記載されたアルミパウチ６で包装したカップ入り即席麺１００。
【請求項６】
カップ入り即席麺１００の他、箸又はフォーク５及び脱酸素剤７をアルミパウチ６で包装したことを特徴とする請求項１〜５の何れかに記載されたアルミパウチ６で包装したカップ入り即席麺１００。
【請求項７】
アルミパウチ６で密封したパウチ口シール部９には、開封用のノッチ８を設けてなることを特徴とする請求項１〜６の何れかに記載されたアルミパウチ６で包装したカップ入り即席麺１００。
【考案の詳細な説明】
【技術分野】
【０００１】
本考案は、アルミパウチで包装したカップ入り即席麺に関する。
【背景技術】
【０００２】
カップ入り即席麺は、カップ状容器が食器を兼ね、湯を注ぐだけで簡単に食することができるので、広く利用されている。特に、調理器具や食器がほとんど手元にない、災害時には重宝である。
ところがカップ入り即席麺の多くは賞味期限が６カ月程度のため、長期保存が必要な防災用の備蓄食品に向かない。
【０００３】
災害時に温かい食品が空腹を満たすだけでなく、被災者の心を癒すことから、長期保存可能なカップ入り、あるいは、自立袋入り即席麺が実用新案に既に登録されている（特許文献１）。
５〜６年常温保存ができて、又簡単に食べられる温かい食品として、災害などの備蓄用の即席麺が望まれているが、容器としてカップを使用せず、自立袋を容器代わりに使用した即席麺では、食する場合自立袋の容器に熱湯を入れて麺を戻して食する場合に、容器が熱く火傷の恐れがあり又容器を手で保持しながら食することは食べづらく、特に子供に対しては簡単に、安心して食することができない欠陥があった。
【先行技術文献】
【特許文献】
【０００４】
【特許文献１】実用新案登録第３１４７１７７号公報
【考案の概要】
【考案が解決しようとする課題】
【０００５】
○本考案が解決しようとする第１課題
本考案が解決しようとする第１課題は、
湯を注ぐだけで簡単に、安全に食することができて常温で長期保存（５〜６年）が可能であるとともに、備蓄する際に容器が破損せず、食後資材廃棄が簡単にできるアルミパウチで包装したカップ入り即席麺を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする（図１、図２を参照のこと）。
＜用語の説明＞
○カップ入り即席麺１００とは、食器として使用できるカップ状容器１（カップ状の耐熱耐水容器等）に即席麺２、予め小袋に包装された即席麺の具材３、及び、予め小袋に包装された調味料４を収納したものである。日本で生まれ、世界各地にも消費が広がっている。
ここに、カップとは、カップ状容器１をいう。
ただし、本発明に係る、アルミパウチ６で包装したカップ入り即席麺２は、上記のカップ入り即席麺１００をさらに限定して、アルミパウチ６で包装してなると共にアルミパウチ６内部を窒素ガス等の不活性ガスで置換して密封してなることを特徴とするアルミパウチ６で包装したカップ入り即席麺１００をいう（請求項１）。
○カップ状容器１とは、即席麺２、予め小袋に包装された即席麺の具材３、及び、予め小袋に包装された調味料４を収納した、食器として使用できるカップ状容器（カップ状の耐熱耐水容器等をいう。
○即席麺２とは、乾麺であって、ラーメン、米粉ヌードル、そば、うどん等である。
○即席麺の具材３とは、フリーズドライ製法などの公地の方法で製造し、前もって小袋に入れたものである。
○調味料４は、液体調味料、粉末調味料どちらでもよく、前もって小袋に入れたものである。
○箸又はフォーク５は、何れも、即席麺２を食すための道具をいう。
○窒素ガス等の不活性ガスで置換して密封してなることとは、カップ入り即席麺１００、箸又はフォーク５、脱酸素剤７をアルミパウチ６で包装してなると共に、アルミパウチ６内部の空気を窒素ガス等の不活性ガスで置換して、アルミパウチ６外部に当該不活性ガスを洩らさないように密封してなることをいう。
アルミパウチ６内の不活性ガスの置換率は、常温６年程度の長期保存可能となるよう１００％にする（なお、即席麺２等を収納したカップ状容器１の空気を、真空脱気して不活性ガスで置換すれば、カップ状容器１が破損する。そこで、先ずは、不活性ガスで置換率５０％程度置換し、残りの５０％の空気は、脱酸素剤７で吸着して、アルミパウチ６内の不活性ガスの置換率を１００％にする。）。
不活性ガスは、人体に無害な二酸化炭酸ガス、又は窒素ガスを使用する。
長期保管にあたっては、袋内の不活性ガスが緩衝材となり又内容物（即席麺等をいう。以下同じ。）はカップ状容器１内にあるため保護され、積み重ねて備蓄しても内容物が潰れることは無い。
食する場合は、アルミパウチ６から内容物を取り出し、カップ状容器１内に収めている小袋入り即席麺の具材３・小袋入り調味料４を開封してカップ状容器１内に移して湯を所定の位置まで入れ３分程経過すれば食することができて、カップ状容器１が紙製等の断熱材のために熱くなく手にもって安全に簡単に食することができる。
○アルミパウチ６とは、アルミ箔をサンドしているパウチをいう。
アルミパウチ６（袋）の材質は、例えばＮｙｌｏｎ１５／ＡＬ７〜９／ＰＥ３０〜８０μのような３層構成で、アルミ箔をサンドしているものであれば良い。アルミパウチ６の形態は三方袋でも、背貼袋でも、自立袋でも良い。
ここに、パウチとは、レトルトパウチの略称であり、一般には、レトルト食品を封入している袋のことをいうが、パウチは、一般的に食品側にはポリプロピレン、ポリエチレン、外側にはポリエステル（ＰＥＴ）といった合成樹脂とアルミ箔を積層加工（ラミネート加工）したフィルムで出来ている。空気や水分、光を遮断し、内部の食品を密閉するための工夫である。
なお、本願におけるアルミパウチ６は、即席麺２等を収納したカップ状容器１、箸又はフォーク５、及び、脱酸素剤７を収納している袋のことをいう。
○脱酸素剤７とは、密閉容器（アルミパウチ６）の中を無酸素状態にする薬剤である。鉄の酸化を利用して酸素を吸収するタイプが主流であるが、糖やレダクトンなどの酸化反応を利用した有機系のものも一部で使用されている。酸化を防ぐことにより、カビ、害虫、油脂の変質などを防止することができ、食品包装で広く利用されている。化学反応により若干発熱をする。酸素を取り除く速度は鉄系の方が早く、有機系の方が遅い。また、有機系は二酸化炭素を発生する物がある。
○ノッチ８とは、アルミパウチ６を開けやすくするための切り込みの部分をいう。
○パウチ口シール部９とは、カップ状容器（食器として使用できるカップ状の耐熱耐水容器等）に即席麺を収納し、予め小袋に包装された即席麺の具材、及び、予め小袋に包装された調味料をアルミパウチ６に収納するためのアルミパウチ６の口部分であって、窒素ガス等の不活性ガスを封入して密封する部分である。
カップ状容器（食器として使用できるカップ状の耐熱耐水容器等）に即席麺を収納し、予め小袋に包装された即席麺の具材、及び、予め小袋に包装された調味料をアルミパウチ６内に収納した後は、パウチ口シール部９は、窒素ガス等の不活性ガスを封入して密閉状態に閉じられる。
パウチされたカップ入り即席麺１００を食する場合には、パウチ口シール部９に設けてなるノッチ８（開けやすくするための切り込みの部分）から、アルミパウチ６を開け、カップ入り即席麺１００を取り出す。
次に、食器として使用できるカップ状容器（カップ状の耐熱耐水容器等）から、即席麺を除いて、予め小袋に包装された即席麺の具材、及び、予め小袋に包装された調味料を取り出し、さらに、小袋から即席麺の具材、調味料をそれぞれ取り出して、再度、それぞれをカップ状容器１に収納し、当該カップ状容器１に湯を注いで、ある程度の時間を置けば、フォークを使って、即席麺を食することができる。
○三方袋とは、二枚のフィルムの底と側面の三方を張り合わせた袋をいう。二枚のフィルムをしっかりと接着するため、機密性に優れており、また製造過程において生産性に最も優れている。機密性の高さから、薬品や化粧品をはじめ、レトルト食品など様々な用途に用いられている。
○背貼袋とは、一枚のフィルムを背中合わせでシールして筒状にし、指定の長さで底部を溶着して切断した形状の袋をいう。
○自立袋とは、袋の底が立体的に確保されており、自立可能な袋をいう。ミートソースなど一部のレトルト食品や、詰め替え用シャンプーのパッケージなどでよく見られる。
○即席麺２等（又は即席麺等）とは、即席麺２、及び／又は、予め小袋に包装された即席麺の具材３、及び／又は、予め小袋に包装された調味料４をいう。
したがって、即席麺２等（又は即席麺等）とは、即席麺２のみの場合、あるいは、即席麺２、及び、予め小袋に包装された即席麺の具材３、及び、予め小袋に包装された調味料４の場合等がある。
＜本発明に係る、アルミパウチ６で包装したカップ入り即席麺１００の製造方法のフローチャート（図５）＞
＜始＞
＜ステップ１＞
ＳＩ：即席麺２、予め小袋に包装された即席麺の具材３、及び、予め小袋に包装された調味料４を用意する。
＜ステップ２＞
Ｓ２：即席麺２、予め小袋に包装された即席麺の具材３、及び、予め小袋に包装された調味料４をカップ状容器１に入れる。
＜ステップ３＞
Ｓ３：Ｓ２において即席麺２等を収納したカップ状容器１、箸又はフォーク５、及び、脱酸素剤７をアルミパウチ６に収納する。
＜ステップ４＞
Ｓ４：アルミパウチ６内の空気を窒素ガス等の不活性ガスで置換し、パウチ口シール部９を密封することにより、不活性ガスをアルミパウチ６内に閉じ込める。
＜終＞
＜Ａ．即席麺２等を収納したカップ状容器１をアルミパウチ６で包装してなること（本考案）と
Ｂ．即席麺２等をアルミパウチ６で包装し、当該アルミパウチ６をカップ状容器１に収納することの比較検討＞
Ａ．とＢ．とを種々比較検討した結果、Ａ．（本考案）の方がＢ．よりも優れていることが分った。最初は、単に手順を入れ替えるに過ぎないと考えられ、Ａ．とＢ．の何れを選択しても同じであると予想されたが、比較検討した結果、意外にも、Ａ．（本考案）の方がＢ．よりも優れていることが判明した。
（１）Ｂ．の方は、即席麺２等を収納したアルミパウチ６内の空気を不活性ガスで置換することはできるが、当該アルミパウチ６を収納したカップ状容器１の空気を真空脱気により不活性ガスで１００％置換することはできない（何故ならば、カップ状容器１はアルミパウチ６と違い、真空脱気すれば潰れてしまうからである。カップ状容器１内は完全に密封されないので、カップ状容器１の外の空気が侵入してくるので、長期保存性能が大幅に損なわれる。）のに対して、Ａ．の方は、即席麺２等を収納したカップ状容器１を収納したアルミパウチ６内の空気を不活性ガスで１００％置換することができる（即席麺２等を収納したカップ状容器１内の空気を不活性ガスで５０％程度置換することができ、カップ状容器１の残った空気は脱酸素剤７で吸収されて不活性ガスで１００％置換されるので、全体として、アルミパウチ６内の空気を不活性ガスで１００％置換することができる。）ので、アルミパウチ６は密封性が優れている（透過率が０％）ので、アルミパウチ６外の空気が侵入して中の窒素ガスが外の空気と置換されるおそれが少なく、長期保存性能が大幅に維持される。）ので、封入される不活性ガスの容量が、Ａ．の方が、Ｂ．よりも、遥かに多い。
封入される不活性ガスの容量が多い方が、外から空気が侵入したとしても、その影響は、不活性ガスの容量に反比例して少ない。
すなわち、不活性ガスの容量が多いＡ．の方が、不活性ガスの容量が少ないＢ．よりも、即席麺２等の長期保存をすることが可能となるからである。
（２）Ｂ．の方は、即席麺２等、箸又はフォーク５、脱酸素剤７を収納したアルミパウチ６内に入れ、アルミパウチ６内の空気を不活性ガスで置換してから、カップ状容器１に入れるという考えであるが、即席麺２等、箸又はフォーク５、脱酸素剤７をアルミパウチ６内に収納した後に、不活性ガス置換包装するので、カップ状容器１の寸法が嵩高くなり、即席麺２等の量に比較して、食べる上で適量なサイズのカップ状容器１とは言えないので商品化が難しいのに対して、
Ａ．の方は、即席麺２等を収納したカップ状容器１は、既にカップ入り即席麺として市販されており、即席麺２等を収納したカップ状容器１、箸及びフォーク５、脱酸素剤７をアルミパウチ６に収納したものであるので、カップ状容器１の寸法は最適サイズとなっているので、Ａ．の方がＢ．よりも、サイズ的に優れているといえる。
（３）Ｂ．の方は、即席麺２等を包装したアルミパウチ６内は不活性ガスで置換されて密封されているが、当該アルミパウチ６とカップ状容器１の間には空気があるものの、カップ状容器１自体は元々通気性が有り、短期的にも長期的にも空気のクッション性能が劣るのに対して、Ａ．の方は、カップ状容器１内に不活性ガスが１００％封入されており、かつ、カップ状容器１とアルミパウチ６の間に不活性ガスが１００％封入されており、アルミパウチ６は密封性（透過率は０％）があり、カップ状容器１とアルミパウチ６の間に不活性ガスのクッション材としての長期性能は十分であるので、
特に、長期の保管にあたっては、袋内の不活性ガスが緩衝材となり又内容物（即席麺２等をいう。以下同じ。）はカップ状容器１内にあるため保護され、積み重ねて備蓄しても内容物が潰れることは無いという利点が、Ａ．の方にはあるのに対して、Ｂ．の方にはない。
（４）Ｂ．の場合、即席麺２等（即席麺２、及び／又は、予め小袋に包装された即席麺の具材３、及び／又は、予め小袋に包装された調味料４）をアルミパウチ６に充填し、脱酸素剤７を入れた後、不活性ガス置換後密封してから、カップ状容器１に箸又はフォーク５と一緒に詰め込んでから、シュリンク包装等の簡易包装をしなければならない。この場合、すなわち、包装工程を２回することになり、Ａ．の場合に比較してコストアップになるという欠点があり、アルミパウチ６に詰めてから後、カップ状容器１に詰め込む必要が有るので、食するに必要な容量以上の容量の容器でないと充填が出来ないという問題点があるという点で、Ｂ．の方合は、Ａ．の方．より劣るという欠点がある。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
アルミパウチ６で包装してなると共にアルミパウチ６内部を窒素ガス等の不活性ガスで置換して密封してなることを特徴とするアルミパウチ６で包装したカップ入り即席麺１００である。
○第２の考案（請求項２に記載の考案）
上記の課題を解決するための第２の考案（請求項２に記載の考案）は、
前記アルミパウチ６の形態が、三方袋、又は、背貼袋であることを特徴とする請求項１に記載されたアルミパウチ６で包装したカップ入り即席麺１００である。
○第３の考案（請求項３に記載の考案）
上記の課題を解決するための第３の考案（請求項３に記載の考案）は、
前記アルミパウチ６に、酸素透過性をなくし遮光性を付与し気体透過性をなくし、外部よりの臭い・香り・水蒸気・酸素を内部に侵入することを防止することを特徴とする請求項１〜２の何れかに記載されたアルミパウチ６で包装したカップ入り即席麺１００である。
○第４の考案（請求項４に記載の考案）
上記の課題を解決するための第４の考案（請求項４に記載の考案）は、
前記アルミパウチ６が、アルミ箔をサンドしているものであることを特徴とする請求項１〜３の何れかに記載されたアルミパウチ６で包装したカップ入り即席麺１００である。
○第５の考案（請求項５に記載の考案）
上記の課題を解決するための第５の考案（請求項５に記載の考案）は、
紙製等のカップ状容器１内に、即席麺２、予め小袋に包装された即席麺の具材３、及び、予め小袋に包装された調味料４を収納したカップ入り即席麺１００をアルミパウチ６で包装したことを特徴とする請求項１〜４の何れかに記載されたアルミパウチ６で包装したカップ入り即席麺１００である。
○第６の考案（請求項６に記載の考案）
上記の課題を解決するための第６の考案（請求項６に記載の考案）は、
カップ入り即席麺１００の他、箸又はフォーク５及び脱酸素剤７をアルミパウチ６で包装したことを特徴とする請求項１〜５の何れかに記載されたアルミパウチ６で包装したカップ入り即席麺１００である。
○第７の考案（請求項７に記載の考案）
上記の課題を解決するための第７の考案（請求項７に記載の考案）は、
アルミパウチ６で密封したパウチ口シール部９には、開封用のノッチ８を設けてなることを特徴とする請求項１〜６の何れかに記載されたアルミパウチ６で包装したカップ入り即席麺１００である。
【考案の効果】
【０００７】
本考案に係る、アルミパウチ６で包装したカップ入り即席麺１００は、上記のような特徴的構成要件から構成され、特徴的構成要件に応じた、以下のような本願考案特有の効果を奏する。
また、上記の各考案に応じた、上記のような特徴的構成要件から構成されたアルミパウチで包装したカップ入り即席麺によれば、本願考案の課題を十分解消することができた。
○第１の考案の効果
第１の考案によれば、
アルミパウチ６で包装してなると共にアルミパウチ６内部を窒素ガス等の不活性ガスで置換して密封してなることという特徴的な構成要件により、本考案が解決しようとする第１課題を達成することができ、当業者予測不可能な顕著な効果を奏することができた。
○第２の考案の効果
第２の考案によれば、
前記アルミパウチ６の形態が、三方袋、又は、背貼袋であることという特徴的な構成要件により、本考案が解決しようとする第１課題を達成することができ、当業者予測不可能な顕著な効果を奏することができた。
○第３の考案の効果
第３の考案によれば、
前記アルミパウチ６に、酸素透過性をなくし遮光性を付与し気体透過性をなくし、外部よりの臭い・香り・水蒸気・酸素を内部に侵入することを防止することという特徴的な構成要件により、本考案が解決しようとする第１課題を達成することができ、当業者予測不可能な顕著な効果を奏することができた。
○第４の考案の効果
第４の考案によれば、
前記アルミパウチ６が、アルミ箔をサンドしているものであることという特徴的な構成要件により、本考案が解決しようとする第１課題を達成することができ、当業者予測不可能な顕著な効果を奏することができた。
○第５の考案の効果
第５の考案によれば、
紙製等のカップ状容器１内に、即席麺２、予め小袋に包装された即席麺の具材３、及び、予め小袋に包装された調味料４を収納したカップ入り即席麺１００をアルミパウチ６で包装したことという特徴的な構成要件により、本考案が解決しようとする第１課題を達成することができ、当業者予測不可能な顕著な効果を奏することができた。
○第６の考案の効果
第６の考案によれば、
カップ入り即席麺１００の他、箸又はフォーク５及び脱酸素剤７をアルミパウチ６で包装したことという特徴的な構成要件により、本考案が解決しようとする第１課題を達成することができ、当業者予測不可能な顕著な効果を奏することができた。
○第７の考案の効果
第７の考案によれば、
アルミパウチ６で密封したパウチ口シール部９には、開封用のノッチ８を設けてなることという特徴的な構成要件により、本考案が解決しようとする第１課題を達成することができ、当業者予測不可能な顕著な効果を奏することができた。
【考案を実施するための最良の形態】
【０００８】
以下、本考案に係る、アルミパウチで包装したカップ入り即席麺に関する最良の実施形態について、図面を参照しながら説明する。
［図１］図１は、本発明に係る、アルミパウチ６で包装したカップ入り即席麺１００の正面図を表したものである。
［図２］図２は、カップ入り即席麺１００等をアルミパウチ６内に入れる状態図を表したものである。
［図３］図３は、本発明に係る、アルミパウチ６で包装したカップ入り即席麺１００の正面図（写真で撮った図）を表したものである。
なお、アルミパウチ６は、不透明であるので内部が見えないために、アルミパウチ６を透明体パウチで置き換えて、写真撮影している。
［図４］図４は、本発明に係る、アルミパウチ６で包装したカップ入り即席麺１００の平面図（写真で撮った図）を表したものである。
なお、アルミパウチ６は、不透明であるので内部が見えないために、アルミパウチ６を透明体パウチで置き換えて、写真撮影している。
［図５］図５は、本発明に係る、アルミパウチ６で包装したカップ入り即席麺１００の製造方法のフローチャートを表したものである。
以下、本考案に係る、アルミパウチで包装したカップ入り即席麺について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のアルミパウチ６で包装したカップ入り即席麺１００において、
アルミパウチ６で包装してなると共にアルミパウチ６内部を窒素ガス等の不活性ガスで置換して密封してなることを特徴とするアルミパウチ６で包装したカップ入り即席麺１００が開示されている。
○第１の考案の効果
第１の考案によれば、
アルミパウチ６で包装してなると共にアルミパウチ６内部を窒素ガス等の不活性ガスで置換して密封してなることという特徴的な構成要件により、本考案が解決しようとする第１課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のアルミパウチ６で包装したカップ入り即席麺１００において、
前記アルミパウチ６の形態が、三方袋、又は、背貼袋であることを特徴とする請求項１に記載されたアルミパウチ６で包装したカップ入り即席麺１００が開示されている。
○第２の考案の効果
第２の考案によれば、
前記アルミパウチ６の形態が、三方袋、又は、背貼袋であることという特徴的な構成要件により、本考案が解決しようとする第１課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のアルミパウチ６で包装したカップ入り即席麺１００において、
前記アルミパウチ６に、酸素透過性をなくし遮光性を付与し気体透過性をなくし、外部よりの臭い・香り・水蒸気・酸素を内部に侵入することを防止することを特徴とする請求項１〜２の何れかに記載されたアルミパウチ６で包装したカップ入り即席麺１００が開示されている。
○第３の考案の効果
第３の考案によれば、
前記アルミパウチ６に、酸素透過性をなくし遮光性を付与し気体透過性をなくし、外部よりの臭い・香り・水蒸気・酸素を内部に侵入することを防止することという特徴的な構成要件により、本考案が解決しようとする第１課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のアルミパウチ６で包装したカップ入り即席麺１００において、
前記アルミパウチ６が、アルミ箔をサンドしているものであることを特徴とする請求項１〜３の何れかに記載されたアルミパウチ６で包装したカップ入り即席麺１００が開示されている。
○第４の考案の効果
第４の考案によれば、
前記アルミパウチ６が、アルミ箔をサンドしているものであることという特徴的な構成要件により、本考案が解決しようとする第１課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のアルミパウチ６で包装したカップ入り即席麺１００において、
紙製等のカップ状容器１内に、即席麺２、予め小袋に包装された即席麺の具材３、及び、予め小袋に包装された調味料４を収納したカップ入り即席麺１００をアルミパウチ６で包装したことを特徴とする請求項１〜４の何れかに記載されたアルミパウチ６で包装したカップ入り即席麺１００が開示されている。
○第５の考案の効果
第５の考案によれば、
紙製等のカップ状容器１内に、即席麺２、予め小袋に包装された即席麺の具材３、及び、予め小袋に包装された調味料４を収納したカップ入り即席麺１００をアルミパウチ６で包装したことという特徴的な構成要件により、本考案が解決しようとする第１課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のアルミパウチ６で包装したカップ入り即席麺１００において、
カップ入り即席麺１００の他、箸又はフォーク５及び脱酸素剤７をアルミパウチ６で包装したことを特徴とする請求項１〜５の何れかに記載されたアルミパウチ６で包装したカップ入り即席麺１００が開示されている。
○第６の考案の効果
第６の考案によれば、
カップ入り即席麺１００の他、箸又はフォーク５及び脱酸素剤７をアルミパウチ６で包装したことという特徴的な構成要件により、本考案が解決しようとする第１課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のアルミパウチ６で包装したカップ入り即席麺１００において、
アルミパウチ６で密封したパウチ口シール部９には、開封用のノッチ８を設けてなることを特徴とする請求項１〜６の何れかに記載されたアルミパウチ６で包装したカップ入り即席麺１００が開示されている。
○第７の考案の効果
第７の考案によれば、
アルミパウチ６で密封したパウチ口シール部９には、開封用のノッチ８を設けてなることという特徴的な構成要件により、本考案が解決しようとする第１課題を達成することができ、当業者予測不可能な顕著な効果を奏することができた。
【図面の簡単な説明】
【０００９】
【図１】図１は、本発明に係る、アルミパウチ６で包装したカップ入り即席麺１００の正面図を表したものである。
【図２】図２は、カップ入り即席麺１００等をアルミパウチ６内に入れる状態図を表したものである。
【図３】図３は、本発明に係る、アルミパウチ６で包装したカップ入り即席麺１００の正面図（写真で撮った図）を表したものである。  なお、アルミパウチ６は、不透明であるので内部が見えないために、アルミパウチ６を透明体パウチで置き換えて、写真撮影している。
【図４】図４は、本発明に係る、アルミパウチ６で包装したカップ入り即席麺１００の平面図（写真で撮った図）を表したものである。  なお、アルミパウチ６は、不透明であるので内部が見えないために、アルミパウチ６を透明体パウチで置き換えて、写真撮影している。
【図５】図５は、本発明に係る、アルミパウチ６で包装したカップ入り即席麺１００の製造方法のフローチャートを表したものである。
【符号の説明】
【００１０】
１００……カップ入り即席麺
１……カップ状容器
２……即席麺
３……麺の具材
４……調味料
５……箸又はフォーク
６……アルミパウチ
７……脱酸素剤
８……ノッチ
９……パウチ口シール部
【図１】
0003212091.tif 000003
【図２】
0003212091.tif 000004
【図３】
0003212091.tif 000005
【図４】
0003212091.tif 000006
【図５】
0003212091.tif 000007